(57)【要約】【課題】被塗布部となる狭い範囲を容易に梳かしながら液状化粧料を塗布し且つ繊細な仕上がりで塗布する。【解決手段】台座部７ａに対し傾斜台座部７ｂを傾斜させ、傾斜台座部７ｂの長手方向櫛歯７ｃ、係止部材７ｅ上の係止部材櫛歯７ｉ、短手方向櫛歯７ｄの先端を、傾斜台座部７ｂの傾斜に倣って先端側へ向かうに従い漸次低くすると共に、傾斜台座部７ｂの係止部材７ｅ，７ｆに係止される塗布部材４も傾斜台座部７ｂの傾斜に倣って傾斜させることで、傾斜台座部７ｂの先端側又は傾斜台座部７ｂ全体の塗布部材４及び櫛歯７ｃ，７ｉ，７ｄを狭い範囲に当て、これより後側の部分が狭い範囲の周囲に当たらないようにして当該狭い範囲を容易に梳かしながらの塗布を可能とする。また、台座部７ａ及び傾斜台座部７ｂにおいて列を成す櫛歯７ｃの間の係止部材７ｅ上に櫛歯７ｉを設けることで、櫛歯７ｃ同士間の隙間を少なくし、繊細な仕上がりの塗布を可能とする。【選択図】図６
2018140018.tif 000002
【特許請求の範囲】
【請求項１】
液状化粧料を含浸可能な弾性体より成る塗布部材と、
棒状の軸部、及び前記軸部の一方の端に備えられる把持部、及び前記軸部の他方の端に備えられ前記塗布部材を係止可能な塗布部を備える本体部と、を具備した化粧料塗布具であって、
前記本体部の前記塗布部は、
前記軸部から延びる台座部と、
前記台座部の先端から傾斜して延びる傾斜台座部と、
前記台座部及び前記傾斜台座部の長手方向に列となると共に、前記台座部及び前記傾斜台座部の短手方向両側に突設され、複数の櫛歯から成る長手方向櫛歯と、
前記傾斜台座部の先端側の短手方向に列となり、前記傾斜台座部より突設された複数の櫛歯から成る短手方向櫛歯と、
前記櫛歯の間に設けられて前記台座部及び前記傾斜台座部より突設され、隣接する櫛歯より低い頂点部分に、前記台座部の内方向へ突出する突起を有し、前記塗布部材を前記塗布部に係止するための複数の係止部材と、を備え、
前記台座部の前記長手方向櫛歯及び前記係止部材は、前記台座部から垂直方向に直立し、
前記傾斜台座部の前記長手方向櫛歯及び前記係止部材並びに前記短手方向櫛歯は、前記台座部の前記長手方向櫛歯及び前記係止部材と同一方向を向くように前記傾斜台座部から立設し、
前記係止部材の前記突起は、当該突起と前記台座部及び前記傾斜台座部との間に位置する前記塗布部材を、前記塗布部材の天面の端に位置した状態で係止するように設けられ、
前記係止部材の前記頂点部分に、前記係止部材の突出方向に延びる係止部材櫛歯が設けられ、
前記傾斜台座部の前記長手方向櫛歯及び前記係止部材櫛歯並びに前記短手方向櫛歯は、その先端が前記傾斜台座部の傾斜に倣って先端側へ向かうに従い漸次低くなることを特徴とする化粧料塗布具。
【請求項２】
前記傾斜台座部の前記係止部材の前記突起は、前記傾斜台座部に位置する前記塗布部材の前記天面に食い込む形状を有することを特徴とする請求項１記載の化粧料塗布具。
【請求項３】
前記台座部及び前記傾斜台座部の前記塗布部材と対面する面に、複数の刺が設けられていることを特徴とする請求項１又は２記載の化粧料塗布具。
【請求項４】
前記台座部と前記軸部とは、前記台座部に対して鈍角に傾く傾斜面を介して繋がっていることを特徴とする請求項１〜３の何れか一項に記載の化粧料塗布具。
【発明の詳細な説明】
【技術分野】
【０００１】
本発明は、液状化粧料を塗布するのに用いる化粧料塗布具に関する。
【背景技術】
【０００２】
染毛料、毛髪用顔料、整髪料のような液状化粧料を毛髪に塗布する化粧料塗布具として、以下の特許文献１に記載のものが知られている。この特許文献１に記載の化粧料塗布具は、液状化粧料を収容した例えばボトル等の容器と組み合わせて使用されるものであり、櫛歯（コームとも呼ぶ）で毛髪を梳かしながら、液状化粧料を毛髪に塗布するものである。
【０００３】
具体的には、棒状の軸部、及び軸部の一方の端に備えられ使用者により把持される共にボトルに着脱可能に装着される把持部、及び軸部の他方の端に備えられてボトル内に進入可能な塗布部を有する本体部と、ボトル内の液状化粧料を含浸可能な弾性体より成り塗布部に係止される略直方体状の塗布部材と、を具備している。塗布部材を係止する塗布部は、軸部から延びる略直方体状の台座部を備え、当該台座部に、台座部の短手方向両側に垂直に突設され長手方向に列となる複数の長手方向櫛歯と、台座部の先端側に垂直に突設され短手方向に列となる複数の短手方向櫛歯と、櫛歯の間に設けられて台座部に垂直に突設され、その頂点部分に台座部の内方向へ突出する突起が設けられた複数の係止部材と、を有し、この係止部材の突起により、当該突起と台座部との間に位置する塗布部材の天面の端を係止するようになっている。
【０００４】
そして、このような化粧料塗布具によれば、塗布部材の天面の端を係止部材の突起により係止し塗布部材が塗布部から外れることを防止しつつ、塗布部材が直接毛髪に触れる面積を大きくし、効率的に液状化粧料を塗布できると共に、塗布部材を弾性体より形成し且つ長手方向櫛歯と短手方向櫛歯を台座部に垂直に突設し列状に並設することにより、毛髪を梳かしながら液状化粧料を塗布する際に、毛髪が絡み難いという作用・効果を奏するようになっている。
【先行技術文献】
【特許文献】
【０００５】
【特許文献１】特許第５２５８００４号公報
【発明の概要】
【発明が解決しようとする課題】
【０００６】
ここで、上記特許文献１に記載の化粧料塗布具にあっては、毛髪の例えば生え際等の狭い範囲を部分的に梳かしながら塗布する際に、部位によっては、その周囲まで液状化粧料が塗布されてしまい、塗布を行い難い場合がある。また、より一層繊細な仕上がりの塗布も望まれている。
【０００７】
そこで、本発明は、被塗布部となる狭い範囲を容易に梳かしながら液状化粧料を塗布できると共に、繊細な仕上がりの塗布を行うことができる化粧料塗布具を提供することを目的とする。
【課題を解決するための手段】
【０００８】
本発明による化粧料塗布具は、液状化粧料を含浸可能な弾性体より成る塗布部材と、棒状の軸部、及び軸部の一方の端に備えられる把持部、及び軸部の他方の端に備えられ塗布部材を係止可能な塗布部を備える本体部と、を具備した化粧料塗布具であって、本体部の塗布部は、軸部から延びる台座部と、台座部の先端から傾斜して延びる傾斜台座部と、台座部及び傾斜台座部の長手方向に列となると共に、台座部及び傾斜台座部の短手方向両側に突設され、複数の櫛歯から成る長手方向櫛歯と、傾斜台座部の先端側の短手方向に列となり、傾斜台座部より突設された複数の櫛歯から成る短手方向櫛歯と、櫛歯の間に設けられて台座部及び傾斜台座部より突設され、隣接する櫛歯より低い頂点部分に、台座部の内方向へ突出する突起を有し、塗布部材を塗布部に係止するための複数の係止部材と、を備え、台座部の長手方向櫛歯及び係止部材は、台座部から垂直方向に直立し、傾斜台座部の長手方向櫛歯及び係止部材並びに短手方向櫛歯は、台座部の長手方向櫛歯及び係止部材と同一方向を向くように傾斜台座部から立設し、係止部材の突起は、当該突起と台座部及び傾斜台座部との間に位置する塗布部材を、塗布部材の天面の端に位置した状態で係止するように設けられ、係止部材の頂点部分に、係止部材の突出方向に延びる係止部材櫛歯が設けられ、傾斜台座部の長手方向櫛歯及び係止部材櫛歯並びに短手方向櫛歯は、その先端が傾斜台座部の傾斜に倣って先端側へ向かうに従い漸次低くなることを特徴としている。
【０００９】
このような化粧料塗布具によれば、軸部から延びる台座部に対して傾斜台座部は傾斜しており、この傾斜台座部の長手方向櫛歯及び当該長手方向櫛歯の間の係止部材上に位置する係止部材櫛歯並びに短手方向櫛歯は、その先端が、傾斜台座部の傾斜に倣って先端側へ向かうに従い漸次低くなっていると共に、傾斜台座部の係止部材に天面が係止される塗布部材も傾斜台座部の傾斜に倣って傾斜するため、傾斜台座部の先端側又は傾斜台座部全体の塗布部材及び櫛歯を、被塗布部となる狭い範囲に当て、これより後側の部分が狭い範囲の周囲に当たらないようにして、当該狭い範囲を容易に梳かしながら液状化粧料を塗布できる。また、台座部の櫛歯は当該台座部に対する垂直方向に直立し、傾斜台座部の櫛歯は台座部の櫛歯と同一方向を向いているため、傾斜台座部の櫛歯が例えば傾斜台座部に対して垂直な方向等、台座部の櫛歯と同一方向を向いていない場合に比して、台座部及び傾斜台座部の塗布部材及び櫛歯のほぼ全体で梳かしながら塗布する際に、梳かしやすく且つ塗りムラを防止でき、繊細な仕上がりの塗布を行うことができる。また、台座部及び傾斜台座部において列を成す櫛歯の間の係止部材上にも櫛歯が存在するため、特許文献１のように列を成す櫛歯の間で係止部材上に空間が存在し、梳かしている際に当該空間に毛髪が束で入り毛髪同士の間を塗布できなくなってしまうという現象を防止でき、より繊細な仕上がりの塗布を行うことができる。
【００１０】
ここで、塗布部材のうち、傾斜台座部、特に傾斜台座部に係止された塗布部材の先端側は、使用時に捲れ係止部材から外れる可能性がある。このため、傾斜台座部の係止部材の突起は、傾斜台座部に位置する塗布部材の天面に食い込む形状とするのが好ましい。このような構成を採用した場合、使用時に、塗布部材が傾斜台座部から捲れ難く外れ難くなる。
【００１１】
また、台座部及び傾斜台座部の塗布部材と対面する面には、複数の刺が設けられていると、当該刺により塗布部材がズレ難く、良好な塗布が可能となる。
【００１２】
また、台座部と軸部とは、台座部に対して鈍角に傾く傾斜面を介して繋がっていると、万一、塗布部材が台座部から外れ、塗布部材を台座部に再装着する際に、傾斜面に塗布部材が引っ掛かったり入れ難いということがなく、むしろ入れやすく、このため、塗布部材を台座部に容易に再装着できる。
【発明の効果】
【００１３】
このように本発明によれば、被塗布部となる狭い範囲を容易に梳かしながら液状化粧料を塗布できると共に、繊細な仕上がりの塗布を行うことができる。
【図面の簡単な説明】
【００１４】
【図１】本発明の実施形態に係る化粧料塗布具をボトルに装着した状態を示す全体図である。
【図２】図１中の化粧料塗布具をボトルから取り外した状態を示す縦断面図である。
【図３】図２中の化粧料塗布具の斜視図である。
【図４】図３に示す化粧料塗布具の側面図である。
【図５】図３に示す化粧料塗布具の背面図である。
【図６】図３中の塗布部材及び塗布部並びに軸部の先端部を示す斜視図である。
【図７】図６の縦断面図である。
【図８】図３に示す化粧料塗布具から塗布部材を取り外した本体部を示す斜視図である。
【図９】図８の正面図である。
【図１０】図９のX-X矢視図である。
【図１１】図８中の塗布部及び軸部の先端部を示す斜視図である。
【図１２】図９のXII-XII矢視図である。
【図１３】図９のXIII-XIII矢視図である。
【発明を実施するための形態】
【００１５】
以下、本発明による化粧料塗布具の好適な実施形態について図１〜図１３を参照しながら説明する。図１は、本発明の実施形態に係る化粧料塗布具をボトルに装着した状態を示す全体図、図２は、化粧料塗布具をボトルから取り外した状態を示す縦断面図、図３〜図５は、化粧料塗布具を示す各図、図６及び図７は、塗布部材及び塗布部並びに軸部の先端部を示す各図、図８〜図１０は、化粧料塗布具から塗布部材を取り外した本体部を示す各図、図１１は、塗布部及び軸部の先端部を示す斜視図、図１２及び図１３は、塗布部の各断面図であり、本実施形態の化粧料塗布具は、毛髪を梳かしながら、染毛料、毛髪用顔料、整髪料のような液状化粧料を当該毛髪に塗布するためのものである。なお、ここでいう液状化粧料とは、固形化粧料以外の粘性のある化粧料、半固形状の化粧料、ジェル状の化粧料等を含むものとする。
【００１６】
図１及び図２に示すように、化粧料塗布具１は、液状化粧料Ｌが内部に収容されたボトル２との組み合わせによる使用を可能としており、これら化粧料塗布具１及びボトル２により液状化粧料容器１００が構成されている。なお、化粧料塗布具１と組み合わせ可能とされるのは、図示するボトル２以外にもジャー容器等、液状化粧料を収容可能な容器であればボトル型に限定されるものではない。
【００１７】
化粧料塗布具１は、図２〜図４に示すように、本体部３及び塗布部材４を備える。本体部３は、棒状の軸部５と、軸部５の一方の端に備えられ使用者が把持する部位としての役割を担う把持部６と、軸部５の他方の端に備えられて塗布部材４を係止し、毛髪に直接接触し当該毛髪を梳しながら塗布部材４の液状化粧料Ｌを塗布するための塗布部７と、から構成される。
【００１８】
軸部５は、断面円形の棒状を呈し、軸線方向の途中中程で若干屈曲している。詳しくは、軸部５の先端側は、後述する櫛歯７ｃの突出方向（図４の右方向）へ向かうように軸部５の基端側に対して若干屈曲している。このように先端側を屈曲させているのは、使用者が毛髪を梳かす際に、毛髪に塗布部７を接触させやすくするためである。軸部５の基端側には、図２に示すように、大径有底円筒状の栓体５ａが連設されており、この栓体５ａが、有頂円筒状の把持部６内に進入し固定されている。すなわち、軸部５と把持部６は一体とされている。把持部６において栓体５ａより開口側の内周面には、ボトル２の雄螺子２ａと螺合可能な雌螺子６ａが形成されており、これらの雄螺子２ａ及び雌螺子６ａにより、把持部６がボトル２に着脱可能に装着される。
【００１９】
図２〜図４に示すように、塗布部７は、塗布部材４を係止して使用されるものであり、軸部５の先端部から若干屈曲し、軸部５の基端側の軸心と平行な軸心を有し前方に向かうように軸線方向に延びる台座部７ａと、台座部７ａの先端から傾斜して（屈曲して）延びる傾斜台座部７ｂと、を備える。塗布部７は、さらに、これら台座部７ａ及び傾斜台座部７ｂの使用面側となる表面側（図４の右側）に突設され、毛髪を梳かすための複数の長手方向櫛歯７ｃ及び短手方向櫛歯７ｄと、台座部７ａ及び傾斜台座部７ｂに塗布部材４を係止するための複数の係止部材７ｅ，７ｆと、を備える。
【００２０】
図８〜図１１に示すように、台座部７ａ及び傾斜台座部７ｂは、略直方体状を呈し、傾斜台座部７ｂは、台座部７ａに対して、櫛歯７ｃの突出方向（図１０の右方向）とは反対方向へ向かうように緩く傾斜し延びている。
【００２１】
台座部７ａ及び傾斜台座部７ｂの複数の長手方向櫛歯７ｃは、台座部７ａ及び傾斜台座部７ｂの長手方向に列を成すと共に、台座部７ａ及び傾斜台座部７ｂの短手方向両側に突設される。短手方向櫛歯７ｄは、傾斜台座部７ｂの先端に位置し、傾斜台座部７ｂの長手方向櫛歯７ｃに連なると共に、短手方向に列を成すように突設される。
【００２２】
台座部７ａの長手方向櫛歯７ｃは、台座部７ａに対して垂直方向に直立する（図１３参照）。傾斜台座部７ｂの長手方向櫛歯７ｃ及び短手方向櫛歯７ｄは、台座部７ａの長手方向櫛歯７ｃと同一方向を向くように立設される。傾斜台座部７ｂの後端に位置する長手方向櫛歯７ｃの先端は、台座部７ａの先端に位置する長手方向櫛歯７ｃの先端より低くされ、傾斜台座部７ｂの長手方向櫛歯７ｃ及び短手方向櫛歯７ｄの先端は、傾斜台座部７ｂの傾斜に倣って先端側へ向かうに従い漸次低くされている（図７及び図１０参照）。
【００２３】
係止部材７ｅは、長手方向櫛歯７ｃの間に突設され、当該係止部材７ｅ，７ｅ同士の間に複数（３個又は２個；個数は特に限定されない）の長手方向櫛歯７ｃが並ぶように配置される。係止部材７ｆは、短手方向櫛歯７ｄの間に突設され、ここでは、短手方向に２個が並ぶように配置される。これらの係止部材７ｅ，７ｆは、台座部７ａ及び傾斜台座部７ｂの長手方向櫛歯７ｃ及び短手方向櫛歯７ｄと同一方向を向くように立設され、その高さは、隣接する長手方向櫛歯７ｃ、短手方向櫛歯７ｄより低くされている（図１０参照）。
【００２４】
係止部材７ｅ，７ｆは、その頂点部分に、台座部７ａ及び傾斜台座部７ｂの内方向へ突出する突起７ｇ，７ｈをそれぞれ備える（図１１参照）。台座部７ａ及び傾斜台座部７ｂの係止部材７ｅの突起７ｇは、先端が内方へ向かうと共に下方へ突出し、塗布部材４の天面に食い込む形状とされ、ここでは、その先端は尖鋭にされている（図１２参照）。なお、食い込む形状とは、フック形状、釣り針状、サメの歯状、エンボスの凸形状、リブ、刺等を含む。また、傾斜台座部７ｂの先端の係止部材７ｆの突起７ｈは、ここでは、係止部材７ｆの突出方向に直交する方向に突出して先細りに尖り、傾斜する塗布部材４の先端部の天面に食い込む形状となっている（図７参照）。
【００２５】
係止部材７ｅの頂点部分には、係止部材７ｅの突出方向に延びる係止部材櫛歯７ｉが設けられる（図１０〜図１２参照）。この係止部材櫛歯７ｉ及び長手方向櫛歯７ｃ並びに短手方向櫛歯７ｄは、毛髪を梳かしやすいように先細り形状とされている。そして、台座部７ａの係止部材櫛歯７ｉの先端は、台座部７ａの長手方向櫛歯７ｃの先端と同じ高さとされ、傾斜台座部７ｂの係止部材櫛歯７ｉの先端は、台座部７ａの係止部材櫛歯７ｉの先端より低く、傾斜台座部７ｂの傾斜に倣って、先端側へ向かうに従い長手方向櫛歯７ｃの先端と傾斜して連なるように漸次低くされている（図７及び図１０参照）。なお、ここでは、傾斜台座部７ｂの先端で短手方向櫛歯７ｄ，７ｄ間の係止部材７ｆ，７ｆ上には、係止部材櫛歯７ｉは設けられていないが、設けても良い。
【００２６】
また、台座部７ａ及び傾斜台座部７ｂには、表裏面を貫通する貫通孔７ｊ（図５、図７、図１０及び図１２参照）が、台座部７ａ及び傾斜台座部７ｂの軸線方向に沿って複数個離間して設けられている。この貫通孔７ｊは、化粧料塗布具１をボトル２に装着している際に、液状化粧料Ｌを通過させるためのものである。
【００２７】
また、台座部７ａ及び傾斜台座部７ｂの塗布部材４に対面する面、すなわち表面には、図８〜図１３に示すように、長手方向に列を成す複数の刺７ｋが、短手方向に２列突設される。これらの刺７ｋは、塗布部材４をズレ難くするためのものである。
【００２８】
そして、このような構成を有する塗布部７の台座部７ａと軸部５の先端部とは、図１０及び図１１に示すように、台座部７ａに対して鈍角に傾く傾斜面７ｍを介して繋がっている。また、軸部５には、傾斜面７ｍに繋がる傾斜面を有する突起部７ｎが短手方向に一対並設されている。
【００２９】
図６に示すように、塗布部材４は、略直方体状を呈し、その素材は発泡ポリウレタン等の連続気泡性発泡材や繊維束が適しているが、一定量の液状化粧料Ｌを含浸し保持することができ、圧縮及び復元しやすい弾性を有する弾性体であれば素材は特に限定されるものではない。
【００３０】
そして、塗布部材４は、図７に示すように、台座部７ａ及び傾斜台座部７ｂの表面に接触し、図３及び図６に示すように、その周囲を、台座部７ａ及び傾斜台座部７ｂの長手方向櫛歯７ｃ及び短手方向櫛歯７ｄ並びに係止部材７ｅ，７ｆにより囲まれると共に、図７に示すように、台座部７ａ及び傾斜台座部７ｂの表面に倣って若干折り曲げられた状態で、台座部７ａ及び傾斜台座部７ｂの貫通孔７ｊを塞ぐようにして塗布部７に係止される。
【００３１】
具体的には、図６及び図７に示すように、係止部材７ｅの突起７ｇ及び係止部材７ｆの突起７ｈは、塗布部材４の天面の端に位置して当該天面の端に食い込み、塗布部材４を塗布部７に係止する。このように係止部材７ｅの突起７ｇ及び係止部材７ｆの突起７ｈにより係止された塗布部材４は、その天面が、長手方向櫛歯７ｃ及び短手方向櫛歯７ｄ並びに係止部材櫛歯７ｉの先端より低い位置に位置している。
【００３２】
一方、図２に示すように、化粧料塗布具１の軸部５より先端側が差し込まれるボトル２は、液状化粧料Ｌを収容すると共に、ボトル２の頸部内に扱き部材８を備える。扱き部材８は、例えばゴム等の軟質材より形成されて略有底円筒状を呈し、ボトル２の頸部より下方へ延出している。扱き部材８の底部には、例えば十字状を成すスリット（切れ目）８ａが形成され、底部より上方でボトル２の頸部より下方位置には、円板状の扱き部８ｂが内側へ張り出すように設けられる。扱き部８ｂの略中央には、軸部５及び塗布部７が通過する例えば円形等の扱き孔８ｃが形成される。
【００３３】
このような構成を有する化粧料塗布具１を備えた液状化粧料容器１００によれば、化粧料塗布具１をボトル２に装着した状態では、塗布部材４が液状化粧料Ｌに浸漬すると共に、液状化粧料Ｌが台座部７ａ及び傾斜台座部７ｂの裏側から貫通孔７ｊを通って塗布部材４の裏面に達し、液状化粧料Ｌが効率良く塗布部材４に含浸される。また、この状態で、軸部５は、扱き孔８ｃ及びスリット８ａを通過しており、スリット８ａは下方へ捲られた状態にある。
【００３４】
そして、使用者は、把持部６を持ち当該把持部６の雌螺子６ａとボトル２の雄螺子２ａの螺合を解除し、図２に示すように、化粧料塗布具１をボトル２から取り出す。このとき、化粧料塗布具１の軸部５、長手方向櫛歯７ｃ及び短手方向櫛歯７ｄ並びに係止部材櫛歯７ｉに付着している余分な液状化粧料Ｌは、扱き孔８ｃを形成する扱き部８ｂの内周面により扱き落とされると共に、スリット８ａにより扱き落とされる。このとき、塗布部材４の天面は、各櫛歯７ｃ，７ｉ，７ｄの先端より低い位置に位置しているため、塗布部材４に含浸している液状化粧料Ｌは扱かれない。
【００３５】
そして、化粧料塗布具１をボトル２から取り出すと、捲れていた十字状のスリット８ａは捲れが元に戻り、底部が概ね閉じた状態となる。従って、化粧料塗布具１をボトル２から取り出し塗布に供しているときに、ボトル２を誤って倒してしまっても、閉じているスリット８ａに遮られ、ボトル２から液状化粧料Ｌが流れ出てしまうことを防止できる。
【００３６】
このように化粧料塗布具１をボトル２から取り出したら、使用者は、塗布部７を毛髪に押し当て、長手方向櫛歯７ｃ及び短手方向櫛歯７ｄ並びに係止部材櫛歯７ｉにより毛髪を梳かしながら、塗布部材４を毛髪に押し付けることにより、当該塗布部材４に含浸されている液状化粧料Ｌを毛髪に適量塗布することができる。なお、化粧料塗布具１を用いて毛髪を梳かす場合、特にことわりがなければ、台座部７ａの軸線方向の横に直交する方向である横方向に化粧料塗布具１を動かす操作のことを指すものとする。
【００３７】
この塗布の際に、塗布部材４は押し潰されるが、当該塗布部材４は弾性を有しているため、塗布部７を毛髪から離すことにより、塗布部材４の形状が復元し、このとき、各櫛歯７ｃ，７ｉ，７ｄの間に入り込んでいる毛髪は、塗布部材４の復元力により各櫛歯７ｃ，７ｉ，７ｄの先端方向へ押し出されることになり、毛髪が櫛歯７ｃ，７ｉ，７ｄに絡まることを回避できる。
【００３８】
以上のように、使用にあたって、台座部７ａ及び傾斜台座部７ｂの両方の塗布部材４及び櫛歯７ｃ，７ｉ，７ｄを使う使用法もあるが、被塗布部に応じて、台座部７ａの塗布部材４及び櫛歯７ｃ，７ｉのみを使っても良い。
【００３９】
ここで、毛髪の例えば生え際等の狭い範囲を部分的に梳かしながら塗布する場合には、以下のように、台座部７ａに対して傾斜する傾斜台座部７ｂの塗布部材４及び櫛歯７ｃ，７ｉ，７ｄを使うのが好適である。
【００４０】
すなわち、本実施形態においては、傾斜台座部７ｂの櫛歯７ｃ，７ｉ，７ｄは、その先端が、傾斜台座部７ｂの傾斜に倣って先端側へ向かうに従い漸次低くなっていると共に、傾斜台座部７ｂの係止部材７ｅに天面が係止される塗布部材４も傾斜台座部７ｂの傾斜に倣って傾斜するため、傾斜台座部７ｂの先端側の塗布部材４及び櫛歯７ｃ，７ｉ，７ｄを、被塗布部となる狭い範囲に当て、これより後側の部分が狭い範囲の周囲に当たらないようにして、当該狭い範囲を容易に梳かしながら液状化粧料Ｌを塗布することができる。
【００４１】
また、傾斜台座部７ｂの先端側だけではなく、傾斜台座部７ｂ全体の塗布部材４及び櫛歯７ｃ，７ｉ，７ｄを使用し、傾斜台座部７ｂ全体の塗布部材４及び櫛歯７ｃ，７ｉ，７ｄを狭い範囲に当て、台座部７ａの塗布部材４及び櫛歯７ｃ，７ｉが狭い範囲の周囲に当たらないようにして、当該狭い範囲を容易に梳かしながら液状化粧料Ｌを塗布することもできる。
【００４２】
因みに、傾斜台座部７ｂの櫛歯７ｃ，７ｉ，７ｄが、例えば台座部７ａの櫛歯７ｃ，７ｉとほぼ同一高さまで延びていると、被塗布部となる狭い範囲のみを梳かしながら塗布することができず、狭い範囲の周囲にも塗布してしまうことになる。
【００４３】
また、本実施形態においては、台座部７ａの櫛歯７ｃ，７ｉは当該台座部７ａに対する垂直方向に直立し、傾斜台座部７ｂの櫛歯７ｃ，７ｉ，７ｄは台座部７ａの櫛歯７ｃ，７ｉと同一方向を向いているため、傾斜台座部７ｂの櫛歯７ｃ，７ｉ，７ｄが例えば傾斜台座部７ｂに対して垂直な方向等、台座部７ａの櫛歯７ｃ，７ｉと同一方向を向いていない場合に比して、台座部７ａ及び傾斜台座部７ｂの塗布部材４及び櫛歯７ｃ，７ｉ，７ｄのほぼ全体で梳かしながら塗布する際に、梳かしやすく且つ塗りムラを防止でき、繊細な仕上がりの塗布を行うことができる。また、台座部７ａ及び傾斜台座部７ｂにおいて列を成す櫛歯７ｃの間の係止部材７ｅ上にも櫛歯７ｉが存在するため、特許文献１のように列を成す櫛歯の間で係止部材上に空間が存在し、梳かしている際に当該空間に毛髪が束で入り毛髪同士の間を塗布できなくなってしまうという現象を防止でき、より繊細な仕上がりの塗布を行うことができる。
【００４４】
ここで、塗布部材４のうち、傾斜台座部７ｂ、特に傾斜台座部７ｂに係止された塗布部材４の先端側は、使用時に捲れ係止部材７ｅ，７ｆから外れる可能性がある。しかしながら、本実施形態によれば、傾斜台座部７ｂの係止部材７ｅ，７ｆの突起７ｇ，７ｈは、傾斜台座部７ｂに位置する塗布部材４の天面に食い込む形状のため、使用時に、塗布部材４が傾斜台座部７ｂから捲れ難く外れ難くなっている。なお、台座部７ａの塗布部材４は使用に際して捲れないようであれば、台座部７ａの係止部材７ｅの突起７ｇは食い込む形状ではなくても良い。
【００４５】
また、本実施形態によれば、台座部７ａ及び傾斜台座部７ｂの塗布部材４と対面する面である表面に、複数の刺７ｋが設けられているため、当該刺７ｋにより塗布部材４がズレ難く、良好な塗布が可能となっている。
【００４６】
また、台座部７ａと軸部５とは、台座部７ａに対して鈍角に傾く傾斜面７ｍを介して繋がっているため、万一、塗布部材４が台座部７ａから外れ、塗布部材４を台座部７ａに再装着する際に、傾斜面７ｍに塗布部材４が引っ掛かったり入れ難いということがなく、むしろ入れやすく、このため、塗布部材４を台座部７ａに容易に再装着できるようになっている。
【００４７】
また、本実施形態の化粧料塗布具１によれば、以下の作用・効果も奏する。すなわち、係止部材７ｅ，７ｆの突起７ｇ，７ｈにより、塗布部材４の天面の端を係止しているため、突起７ｇ，７ｈ以外の遮蔽物がなく、塗布部材４が直接毛髪に触れる面積が大きくされ、効率的な液状化粧料Ｌの塗布が可能となっている。
【００４８】
また、櫛歯７ｃ，７ｉ，７ｄより塗布部材４の天面が所定に低い位置にあるため、塗布部７を毛髪に押し当てたときに、櫛歯７ｃ，７ｉ，７ｄが先に毛髪に当たり、塗布部材４の液状化粧料Ｌが毛髪にべたつきしないようになっている。
【００４９】
以上、本発明をその実施形態に基づき具体的に説明したが、本発明は上記実施形態に限定されるものではなく、例えば、上記実施形態においては、長手方向櫛歯７ｃを、台座部７ａ及び傾斜台座部７ｂの短手方向両側に備えているが、内側にも列状に設け、３列以上が形成されるようにしても良い。また、短手方向櫛歯７ｄに関しても、３個以上並べても良く、このような３個以上の短手方向櫛歯を長手方向に離間して複数列設けても良い。
【符号の説明】
【００５０】
１…化粧料塗布具、２…ボトル、３…本体部、４…塗布部材、５…軸部、６…把持部、７…塗布部、７ａ…台座部、７ｂ…傾斜台座部、７ｃ…長手方向櫛歯、７ｄ…短手方向櫛歯、７ｅ，７ｆ…係止部材、７ｇ，７ｈ…係止部材の突起、７ｉ…係止部材櫛歯、７ｋ…刺、７ｍ…傾斜面、１００…液状化粧料容器、Ｌ…液状化粧料。
【図１】
2018140018.tif 000003
【図２】
2018140018.tif 000004
【図３】
2018140018.tif 000005
【図４】
2018140018.tif 000006
【図５】
2018140018.tif 000007
【図６】
2018140018.tif 000008
【図７】
2018140018.tif 000009
【図８】
2018140018.tif 000010
【図９】
2018140018.tif 000011
【図１０】
2018140018.tif 000012
【図１１】
2018140018.tif 000013
【図１２】
2018140018.tif 000014
【図１３】
2018140018.tif 000015